(57)【特許請求の範囲】
【請求項１】
複数の首付きびんを包装する包囲スリーブ形搬送体において、該首付きびんは、首部と該首部より大径の胴部とを有し、該首部は肩部を介して該胴部と接続し、
スリーブ形状を形成するように折り線に沿い側部パネルに連結した頂部パネル及び底部パネルと、
前記スリーブの各端部の端部パネルとを備え、
各端部パネルをそれぞれ前記頂部パネル及び底部パネルに各折り線により連結され、前記側部パネルの横方向に延びる接着フラップに重ねて接着した上部及び下部の端部パネルフラップにより構成し、
この下端部パネルフラップをその各側で隣接する前記接着フラップの下部部分にひだ板タブにより連結し、このひだ板タブを前記下部部分に第１タブ折り線により又前記下端部パネルフラップに第２タブ折り線により連結し、
前記各端部パネルを隣接する湾曲した又はテーパ付きの首付きびんの輪郭に実質的に追従させる手段を設け、
前記接着フラップに、隣接する包装された首付きびんの肩部の所期の場所に対応する場所に穴を形成し、
各接着フラップは、前記穴から前記接着フラップの端縁部に向かって延びる少なくとも１つの容易に折曲げできる線を備えた包囲スリーブ形搬送体。
【請求項２】
前記端部パネルを隣接するびんの輪郭に実質的に追従させる前記手段は、前記の接着フラップ及び側部パネルの間に斜切パネルを備え、各斜切パネルは折り線により隣接する前記接着フラップ及び側部パネルに連結され、頂部では底部におけるよりも大きい幅を持つ請求の範囲第１項記載の包囲スリーブ形搬送体。
【請求項３】
前記各斜切パネルが搬送体下部すみ部から上向きに延び、前記斜切パネルを隣接する側部パネルに連結する折り線が前記側部パネルを前記頂部パネルに連結する折り線にその端部で交差するようにした請求の範囲第２項記載の包囲スリーブ形搬送体。
【請求項４】
前記端部パネルを隣接する物品の輪郭に実質的に追従させる前記手段に、前記接着フラップの下部部分を協働する側部パネルに連結する第１の接着フラップ折り線と前記接着フラップの上部部分を前記の協働する側部パネルに連結する第２の接着フラップ折り線とを設け、各第２接着フラップ折り線が協働する第１接着フラップ折り線に対し或る角度を挟み対向する端部パネルに向かい傾斜した請求の範囲第１項記載の包囲スリーブ形搬送体。
【請求項５】
前記第１接着フラップ折り線を実質的に上下方向にした請求の範囲第４項記載の包囲スリーブ形搬送体。
【請求項６】
前記下端部パネルフラップ折り線が前記底部パネルの幅より短い長さを持つようにした請求の範囲第１項記載の包囲スリーブ形搬送体。
【請求項７】
前記ひだ板タブを前記下端部フラップ及び隣接する接着フラップの間に位置させ、前記各タブをその第２タブ折り線のまわりに折曲げて前記下端部パネルフラップの内面に対し互いに向き合った関係になるようにし、又第１タブ折り線のまわりに折曲げて協働する接着フラップの外面に対し互いに向き合った関係になるようにした請求の範囲第１項記載の包囲スリーブ形搬送体。
【請求項８】
複数個の首付きびんを包装するのに使う包囲スリーブ形搬送体を形成する素材において、首付きびんは、首部と該首部より大径の胴部とを有し、該首部は肩部を介して該胴部と接続し、
折り線により頂部パネルフラップに連結し、側部パネル区分に折り線により連結した底部パネル区分と、
この底部パネル区分に折り線により連結した下端部パネルフラップと、
前記頂部パネルフラップに折り線により連結した上端部パネルフラップと、
前記側部パネル区分の外方に延びる接着フラップとを備え、
各下端部パネルフラップをその各側で隣接接着フラップの下部部分にひだ板タブにより連結し、このひだ板タブを前記下部部分に第１のタブ折り線により又前記下端部パネルフラップに第２のタブ折り線により連結し、前記ひだ板タブを素材形成搬送体に前記下端部フラップ及び隣接接着フラップの間に位置させ、前記ひだ板タブをその第２タブ折り線のまわりに折曲げて前記下端部パネルフラップの内面に対し互いに向き合った関係になるようにし、又第１タブ折り線のまわりに折曲げて協働する接着フラップの外面に対し互いに向き合った関係になるようにし、
素材形成搬送体の端部パネルを隣接する湾曲した又はテーパ付きの首付きびんの輪郭に実質的に追従させる手段を設け、
各接着フラップに、隣接する包囲された首付きびんの肩部の所期の場所に対応する場所に穴を形成し、
各接着フラップは、前記穴から前記接着フラップの端縁部に向かって延びる少なくとも１つの容易に折曲げできる線を備える搬送体素材。
【請求項９】
素材形成搬送体の前記端部パネルを隣接物品の輪郭に実質的に追従させる前記手段は前記側部パネル区分に折り線により連結した斜切パネル区分を備え、前記折り線が前記側部パネル区分を前記底部パネル区分及び前記頂部パネルフラップに連結する前記折り線に対し或る角度を挟んで延び、各斜切パネル区分は折り線により接着フラップに連結し、各斜切パネル区分がその頂部において底部におけるより大きい幅を持つようにした請求の範囲第８項記載の搬送体素材。
【請求項１０】
素材形成搬送体の前記端部パネルを隣接物品の輪郭に実質的に追従させる前記手段に、前記接着フラップの下部部分を協働する側部パネルに連結する第１の接着フラップ折り線と前記接着フラップの上部部分を協働する側部パネルに連結する第２の接着フラップ折り線とを設け、各第２接着フラップ折り線が協働する第１接着フラップ折り線に対し或る角度を形成し、前記協働する側部パネル区分の対向端部に向かい傾斜した請求の範囲第８項記載の搬送体素材。
【請求項１１】
前記第１接着フラップ折り線を、前記側部パネル区分に前記底部パネル区分を連結する折り線に実質的に直交させた請求の範囲第10項記載の搬送体素材。
【請求項１２】
前記底部パネル区分を前記下端部パネルフラップに連結する折り線が前記底部パネル区分の幅より短い長さを持つようにした請求の範囲第８項記載の搬送体素材。
【発明の詳細な説明】
技術分野
本発明は、中間のスリーブ状体の開いた端部を経て装入するようにした物品搬送体に関する。ことに本発明は、搬送体端部の閉鎖を容易にし全く包囲した搬送体の端部すみ部分を梱包物品の輪郭に追従させることのできる端部パネル構造に関する。
背景技術
スリーブ形搬送体は典型的には、折りたたんだスリーブの形で包装機に送出される素材から形成する。このスリーブは包装機内で立ち上げ又は開き、各物品をこのスリーブの一方又は両方の端部を経て装入し、次いでこの搬送体の端部を閉じる。この搬送体の端部パネルの形成には通常上下の端部フラップとこれ等の端部パネルフラップを接着するダストフラップ又は接着フラップとを各別の折曲げ工程により定位置に折曲げる必要がある。
長首のびんを包装するのに使われるような全包囲の搬送体を形成するときは、各端部パネルの上部部分は、端部のびんの輪郭に一層よく追従するようにテーパを付けることが多い。このために側部パネルは下部では上部におけるよりも幅を広くし、側部パネルの下部部分は幅を一定にし上部部分はテーパを付ける。側部パネルの端縁部に枢動できるように取付けた接着フラップは基本的には、フラップ外縁部から側部パネルのテーパ付き上部端縁部とまっすぐな下部端縁部分との接合部の近くの点まで延びる切欠きを持つ単一のフラップから成っている。このようにして接着フラップの上部区分及び下部区分の間に狭い連結帯状体を生成する。連結帯状体の切欠き及び刻み目線により、接着フラップを端部パネルのテーパ付き形状に適合させるように定位置に折曲げるときにこれ等の２区分を必要に応じて移動させることができる。接着フラップの上部区分の折曲げはその折り線の下部区分の折り線に対する傾斜関係により抵抗を受けるから、この抵抗に打勝つのに通常「キッカー」輪（“kicker"wheel）が必要である。しかしキッカー輪の使用は他の問題を生ずる。キッカー輪の衝撃により、搬送体を四角形の状態に保つことが一層むずかしくなり、又キッカー輪により接着フラップを定位置に折曲げるのに必要な時間により包装機速度を減らすことが必要になる。
区分した接着フラップを使わないでテーパ付き搬送体を形成できることが望ましい。単一体接着フラップを利用することにより、キッカー輪の必要がなくなる。又びん又はその他のテーパ付き物品を包装品内に一層緊密に保持するようにするには、これ等の物品の輪郭に一層密に追従することのできる搬送体を備えることが望ましい。通常スリーブ形搬送体の端部パネルは、端部パネル区域でも端部パネル及び側部パネル間のすみ部区域でも頸部付きびんの輪郭に密接に追従することはできない。従って本発明の目的は、一層緊密な包装品を形成し包装機の速度を遅くすることのできないスリーブ形搬送体を提供することにある。
発明の開示
スリーブ形搬送体に、横方向に延びる接着フラップと上側に重なる上下の端部パネルフラップとから成る端部パネルを設けてある。下端部パネルフラップは底部パネルとひだ板タブとに折曲げできるように連結してある。これ等のタブは又接着フラップに折曲げできるように連結してある。この構造によりこの搬送体スリーブに、下端部パネルフラップがその水平に開いた位置にあるときは物品を装入することができ、又下端部パネルフラップを先ず開いた上下方向位置に次いでその閉じた位置に動かすときに接着フラップを自動的に閉位置に動かす。これ等のタブはその折り線のまわりに折曲げこれ等のタブが端部パネルフラップの内面に又協働する接着フラップの外面に向き合う関係になるようにする。さらに各端部パネルにより隣接する湾曲した又はテーパ付きの物品を定位置に密接に保持する手段を設けてある。下端部パネルフラップ折り線は底部パネルの幅より短い長さを持つのがよい。
１実施例では、端部パネルにより隣接する湾曲した又はテーパ付きの物品を緊密に保持する保持手段は、隣接する接着フラップ及び側部パネルに折曲げできるように連結され頂部の方が底部におけるよりも一層広い幅を持つ斜切パネルを備えている。別の実施例ではこの保持手段は、接着フラップの下部部分を協働する側部パネルに連結する第１の接着フラップ折り線と、接着フラップの上部部分を協働する側部パネルに連結する第２の接着パネル折り線とを備えている。各第２接着フラップ折り線は、協働する第１接着フラップ折り線に対し或る角度を挟み対向する端部パネルに向かい傾斜している。
本搬送体の構造では一体の各接着フラップを包装品に内部の物品の輪郭に合致するようにテーパを付けてあっても使うことができる。さらにひだ板パネルの作用による各フラップの自動的閉鎖作用により各接着フラップを閉じるのにキッカー輪を使う必要がなくなる。
本発明の前記の又その他の態様及び利点は本発明の好適な実施例についての以下の詳細な説明から明らかである。
【図面の簡単な説明】
第１図は本発明搬送体の１実施例の斜視図である。
第２図は第１図の搬送体を形成するのに使う素材の平面図である。
第３図は第２図の鎖線の囲い３により囲んだ部分の拡大平面図である。
第４図は物品を挿入する状態における搬送体スリーブの開いた端部の斜視図である。
第５図は、下端部パネルフラップを上下方向に下げた位置にし接着フラップを部分的に閉じた位置にして示す第４図の搬送体スリーブの開いた端部の斜視図である。
第６図は端部パネルフラップを最終の閉じた位置に動かす途中の中間の水平位置にして示す第４図の搬送体スリーブの開いた端部の斜視図である。
第７図は第１図の搬送体の部分側面図である。
第８図は折曲げた接着フラップが見えるように上端部パネルフラップの一部を除き拡大して示す搬送体の部分斜視図である。
第９図は変型による搬送体素材の平面図である。
第10図は第９図の素材から形成した搬送体の斜視図である。
第11図は、折曲げた接着剤フラップが見えるように第10図の搬送体をその上端部パネルフラップと頂部パネルの一部とを除いて示す拡大部分斜視図である。
好適な実施例の説明
第１図に示すように本発明による搬送体10は頂部パネル14と第１図には示してない底部パネルとに連結した側部パネル12を備えている。搬送体10は、側部パネル12から横方向に延びる接着フラップ18とそれぞれ接着フラップに重なる上部及び下部の端部フラップ20、22とから成る端部パネル16を備えている。斜切パネル24は接着フラップ18を頂部パネル12に連結する。端部パネル16及び斜切パネル24は隣接する各びんの円筒形輪郭をぴったりはめると共にびんの胴部からびんキャップまでテーパを付けて極めて緊密な包装品を形成する。
搬送体10は、同様な物品に第１図に使ったのと同様な参照数字を付けた第２図に示した素材26から形成してある。素材26は、種々の区分に分割した普通の搬送体厚さを持つボール紙のような適当な強度を持つたわみ性シート材料から成っている。底部パネル区分28は折り線30により側部パネル区分12に連結してある。又頂部パネル区分32は各側部パネル区分12に折り線34により連結してある。各頂部パネル区分32は、枢動フラップ38により覆った取手穴36を備えている。互いに重なって搬送体の上端部パネルフラップ20を形成するようにした上端部パネルフラップ40は折り線42に沿い頂部パネル区分32の側縁部に連結され、又下端部パネルフラップ22は折り線46に沿い下部パネル区分28の縁部に連結してある。さらに接着フラップ18は折り線50により斜切パネル区分24に連結してある。又斜切パネル区分24は斜めの折り線52により側部パネル区分12に連結してある。側部パネル区分12の折り線34により表わした上縁部は折り線30により表わした下縁部より短いから、各側部パネルの側縁部は搬送体の底部に向かい外方に傾斜している。又上端部パネルフラップ40の折り線42の各端部は斜めの縁部54により折り線34の各端部に連結してある。各折り線50は側部パネル区分の頂縁部及び底縁部に直角を挟むように見えるが、これ等の折り線は、包装品内の隣接するびんのまわりに一層容易に折れ曲がるようにこれ等の縁部に対しわずかな角度を挟むのがよい。
第２図と共に第３図に示すように下端部パネルフラップ22は、ひだ板パネルすなわちタブ56により隣接接着フラップ18に連結してある。タブ56は、折り線46と端部パネルフラップ20の端部との中間に位置する折り線58に沿い下端部パネルフラップ22に又折り線62に沿い接着フラップ縁部60の端部部分で接着フラップ18にそれぞれ連結してある。タブ折り線62は折り線30に実質的に整合しているが、タブ折り線58は外方に傾斜して折り線58が延長した場合に折り線62の延長部分に鋭角を挟むようにしてある。タブ56、下端部パネルフラップ22及び底部パネルフラップ28の構成は、切欠き64をこれ等の部材の互いに間隔を隔てた縁部部分と接着フラップ18の縁部60とにより仕切るようにしてある。この配置は折り線46が底部パネル28の幅より短いことによって可能になる。切欠き64は折り線30、50、52の交差部を貫いて延びている。タブ折り線58は下端部パネルフラップ22の側縁部から間隔を隔てているから、タブ56の下端部は下端部パネルフラップ22のスリット68により形成してある。下端部パネルフラップ22の側縁部が折り線58の下端部から直接下方に延びているとこれ等のスリットを必要としないのはもちろんである。
接着フラップ18は又、この包装品内の隣接するびんの胴部の上縁部又は肩部に対向するように位置させた肩部切欠きすなわち穴70を備えている。互いに間隔を隔てた折り線72、74は切欠きすなわち穴70を接着フラップ18の外縁部に連結するが、折り線76は穴70の対向端部を折り線50に連結する。折り線72は、接着フラップ18の外縁部に直角を挟むのがよいが、折り線74はフラップ18の上部部分で傾斜している。折り線76は、折り線74と同じ角度を持ち折り線74の延長部分になるのがよい。
搬送体を素材から形成するには、側部パネル区分12の一方をその折り線30のまわりに折曲げ、遠い方の頂部パネル区分32を折り線34のまわりに折曲げて、素材の右方の点彩により第２図に例示した折曲げた側部パネル区分に隣接する頂部パネル区分の接着剤により互いに重なる各頂部パネル区分を互いに接着する。この場合引続いて包装機に導入する折りたたんだスリーブが得られる。このスリーブはよく知られているようにして四角形に立上げる。得られる立上げたスリーブは第４図に例示してある。第４図では下端部パネルフラップ22は、底部パネル28の実質的に外方延長部分である。接着フラップ18及び斜めパネル24は側部パネル12の延長部分である。互いに重なる各接着フラップ40から形成した上端部パネルフラップ20は、包装しようとする物品の導入の妨げにならないようにこの場合上向きに折曲げる。
長首のびんＢのような物品を装入した後、端部パネル11を先ず下端部パネルフラップ22をパネルフラップ22が底部パネルに対し実質的に直角を挟むように下向きに枢動することにより閉じる。第５図に示すように下端部パネルフラップ22の下向きの動きによりひだ板タブ56が折り線58のまわりに上向きに折れ曲がる。この場合接着フラップ18及び斜切パネル24を１単位として斜めパネル折り線52のまわりにそれぞれ全閉位置のいくぶん手前の位置に内方に枢動させる。接着フラップ18のこの動きによりひだ板タブ56の折り線62を実質的に水平の位置に持来し、下端部パネルフラップ22を第６図に示すようにそのもとの開いた位置に実質的に枢動したときに、タブ56が折り線62のまわりに上向きに枢動する。このようにして接着フラップ18及び連結した斜切パネル24をそれぞれ最終の閉じた位置に移動させる。この位置では、接着フラップ18は側部フラップ12に対し実質的に直角を挟み、各斜切パネル24の上縁部が頂部パネルの斜め縁部54の真下になる。この折曲げ作用により折り線58、62に生ずる付勢作用によってひだ板タブ56及び接着フラップ18が実質的に鎖錠されるのはもちろんである。
第１図の包装品を得るのに本搬送体の端部を閉じる際の最終工程は、下端部パネルフラップ22をそれぞれ折り線46のまわりに上方に、又上端部パネルフラップ20をそれぞれ折り線42のまわりに下方に折曲げ、上部及び下部の端部パネルフラップ20、22の端部部分に塗布した接着剤により各端部パネルフラップを接着フラップ18に接着する。接着剤は、ひだ板タブ56に施すと共にタブ56及び下端部パネルフラップ22を直接接着するのがよい。第６図から明らかなように仕上がりの搬送体構造のタブ56は、下端部パネルフラップ22及び接着フラップ18間に直接これ等の両フラップに向き合う関係に位置する。
第１図ないし第６図のほかに第７図に示すように斜切パネル24及び側部パネル12間の傾斜折り線52により斜切パネル24を隣接するびんの湾曲輪郭のまわりにたわませ、これ等のびんにびん肩部及びびん頂部の両方に接触するようにした角度を挟んで接触させることができる。接着フラップ18の底部部分は側部パネル12に実質的に直角を挟んで延び接着フラップ18の下縁部が底部パネル28に接触できるようにしてある。折り線50は底部折り線30に対しわずかな角度を挟むから、接着フラップ18は本搬送体で上下方向に対しわずかな角度を挟み、接着された端部パネルフラップが又同じ角度を挟むようになる。すなわち端部パネルの底部部分は各びんの胴部のわずかにテーパの付いた形状に追従する。
さらに第８図に示すように肩部切欠き70及び関連する折り線72、74、76により接着フラップ18をこの区域で折曲げ又はたわませることができる。この包装品の端部パネルは従ってびんの頂部に向かいテーパを持ち緊密な包装品が得られる。切欠きを設けることにより折り線の長さが短くなり接着フラップ18のたわみに対する抵抗が減る。この機能を生ずるほかに切欠きにより各接着フラップ18が隣接するびんの肩部の輪郭に追従することができ、切欠きの縁部が「かみ込み部」を形成しびんを一層よくつかんで保持する。切欠き70の特定の形状及び場所は包装するびんの輪郭に依存し従って例示したのと異なってもよいのはもちろんである。びんの輪郭は切欠きにより接着フラップをびんに対し一層緊密に衝合させるようなときが好適であるが、本発明搬送体はこのような切欠きを必ずしも設ける必要はない。たとえばこのような切欠きは、これ等がなくても緊密な閉鎖のできるときは必要がない。
第９図には、第１実施例に対し主として接着フラップの構成が異なる変型による素材を例示してある。第１実施例の場合と同様に、底部パネル区分28は、折り線30により側部パネル区分12に又折り線46により下端部パネル22に連結してある。各側部パネル区分12は折り線34により頂部パネル区分32に連結してある。頂部パネル区分32は上端部パネルフラップ40を備えている。しかしこの実施例では接着フラップ80は第１実施例の接着フラップとは異なる形状を持ち斜切パネルを設けてない。その代りに接着フラップ80は、折り線46の延長部分である第１の折り線82と、第１折り線82から折り線34の端部に延びる第２の折り線84とにより側部パネル区分12に連結してある。第１実施例の場合と同様に接着フラップ80は、ひだ板パネル又はタブ56により下端部パネルフラップ22に連結され、又切欠き64は接着フラップ80、下端部パネルフラップ22及び底部パネル区分28の互いに間隔を隔てた縁部部分により区切ってある。接着フラップ80は又、包装品内の隣接するびんの胴部の上縁部又は肩部に対向するように３に位置させた肩部切欠き86すなわち穴を備えている。互いに間隔を隔てた折り線88、90、92は切欠き86を接着フラップ80の外縁部に連結し、なお詳しく後述するようにたわみ又は湾曲を促進する。折り線90、92は切欠き86と接着フラップ80の縁部とから間隔を隔てたスリットとして例示してある。これ等のスリットは、これ等が接着フラップ80の湾曲を普通の折り線よりかなり容易にするから多くの場合に好適である。折り線88は、これが短すぎて単一の細長いスリットを構成できないから普通の折り線として例示してある。
第10図に示した変型による搬送体は第４図、第５図及び第６図に例示した工程に従って第１実施例について述べたようにして素材から作る。しかしこの場合接着フラップ80を折込む際に、これ等の接着フラップは傾斜折り線82、84のまわりに折曲げる。フラップ80の下部部分は折り線82のまわりに枢動するが、上部部分は折り線84のまわりに枢動する。上部及び下部の部分間の転移区域におけるフラップ80の材料はこのようにして、この材料を互いに異なる方向に動かす応力を受けてフラップ80をこの区域でわずかに屈曲させる。この場合フラップ80を内方に第11図に示した閉位置に向かい付勢しフラップ80を隣接するびんの形状に合致させる。折り線88、90、92と切欠き86とはフラップ80がたわみびんの輪郭に合致する能力を高めるが、これ等の折り線及び切欠きは、これ等がなくても接着フラップ80はこれ等のフラップ80がまわりに枢動する二重傾斜折り線82、84によってなおこの能力を持つから、接着フラップの機能には必要がない。
本発明により、下端部パネルフラップを接着フラップに連結するひだ板タブにより可能になる端部パネルフラップの枢動運動によって接着フラップの自動閉鎖が生ずるのは明らかである。テーパ付き端部パネルを持つ包装品をなお形成することができるが単一の接着フラップを使うことにより、接着フラップを閉じるのにもはやキッカー輪を使う必要がない。単一の接着フラップ構造により、隣接するびんのテーパ付き部分にキャップ及び胴部の間で端部パネルを衝合させるが、第１実施例の斜切パネル又は第２実施例の接着フラップの二重折り線はすみ部のびんの湾曲輪郭のまわりにすべりばめの状態になる。
本発明はその好適とする実施例について述べた詳細に限定するのもではなくて、本発明はなおその精神を逸脱しないで種々の変化変型を行うことができないのは明らかである。
【図１】
0003644544.tif 000002
【図４】
0003644544.tif 000003
【図５】
0003644544.tif 000004
【図６】
0003644544.tif 000005
【図７】
0003644544.tif 000006
【図８】
0003644544.tif 000007
【図２】
0003644544.tif 000008
【図３】
0003644544.tif 000009
【図９】
0003644544.tif 000010
【図１０】
0003644544.tif 000011
【図１１】
0003644544.tif 000012